(57)【要約】      （修正有）【課題】電池蓋の開閉動作の操作性がよく、電池の電極部の接触抵抗も低減でき、かつ耐衝撃性能に優れた電池収納構造および同構造を備えた携帯電子機器を提供する。【解決手段】電池２０１を収納する電池室２０２と、電池室の開口部を閉塞する電池蓋１０１を有する電池収納構造において、回転軸の周りに回動する電池蓋に設けられた回転ガイド溝とガイド板２０４が、電池蓋の回動に従って係合し、かつ電池蓋に設けられた電池接片がガイド板の切り欠き部に係合することで、電池蓋をロックする。【選択図】図１
2006260970.tif 000002
【特許請求の範囲】
【請求項１】
電池を収納する電池室と、該電池室の開口部を閉塞する電池蓋とを有する電池収納構造において、
前記電池室に収納された電池を前記電池蓋方向に付勢する付勢手段と、
前記電池蓋を、前記付勢手段の付勢方向と略平行な軸を中心として回動可能に支持する支持部材と、
前記電池蓋に設けられ、前記電池室に収納された電池の電極と接触する電池接片と、
前記電池接片の、前記電池蓋を、前記電池室を開放する位置から閉塞する位置に回動させるときに、最初に電池の電極に接触する側に設けられた傾斜部とを有し、
前記電池接片は、前記電池室に収納された電池を前記付勢手段の方向に付勢しながら回動することを特徴とする電池収納構造。
【請求項２】
前記電池蓋の回動方向を規制するガイド板と、
前記電池蓋に設けられた、前記電池蓋の回転方向の面に平行な回転ガイド溝とを有し、
前記電池蓋を、前記電池室を開放する位置から閉塞する位置に回動させることで、前記ガイド板が前記回転ガイド溝と係合し、その後に前記電池接片の傾斜部が前記電池の電極に接触することを特徴とする請求項１に記載の電池収納構造。
【請求項３】
前記ガイド板は、前記電池蓋を、前記電池室を閉塞する位置に固定するロック部材として機能し、
前記電池蓋を、前記電池室を開放する位置から閉塞する位置に回動させるときに、前記電池接片の一部が前記ガイド板と弾性的に接触することにより、前記ガイド板を介して電気回路と電気的に接続されることを特徴とする請求項２に記載の電池収納構造。
【請求項４】
前記電池蓋の回動方向を規制するとともに、前記電池蓋を、前記電池室を閉塞する位置に固定するロック部材として機能するガイド板を有し、
前記電池蓋を、前記電池室を開放する位置から閉塞する位置に回動させるときに、前記電池接片の一部が前記ガイド板と弾性的に接触することにより、前記ガイド板を介して電気回路と電気的に接続されることを特徴とする請求項１に記載の電池収納構造。
【請求項５】
前記電池室は電池を複数本収納可能であり、
前記複数本の電池は、前記支持部材を中心とした略円弧上に配置されることを特徴とする請求項１乃至４の何れか１項に記載の電池収納構造。
【請求項６】
請求項１乃至５の何れか１項に記載の電池収納構造を備えたことを特徴とする携帯電子機器。
【発明の詳細な説明】
【技術分野】
【０００１】
本発明は、電池収納構造および携帯電子機器に関し、特に、回動式の電池蓋を有する電子機器の電池収納構造および携帯電子機器に関する。
【背景技術】
【０００２】
従来の携帯電子機器の電池収納構造においては、電池蓋は、例えば落下等による衝撃で電池蓋が外れないように、ネジ止めされている場合がある。しかし、このような方法では電池交換に手間がかかって非常にわずらわしく、また、電池交換時に電池蓋やネジを紛失してしまい、結果として装置としての機能を果たさなくなるおそれもある。
【０００３】
そこで、電池蓋をネジ止めしない方法として、電池蓋を別の係止部品で係合する方法が提案されている（例えば、特許文献１参照）。
【０００４】
また、電池蓋を紛失しないように、電池蓋を携帯電子機器本体に設けられた軸により回動自在に設けて電池蓋が携帯電子機器本体から離れないようにし、別設の掛止部材でロックするものも提案されている（例えば、特許文献２参照）。
【０００５】
さらに、電池の電極部の接触抵抗を低減することで、電池寿命を延ばし機器の動作時間を増加させるために、電池蓋のロック機構をスライドさせてロックする時に、ロック機構に設けられた突起で電池接片を電池の陽極方向に押しつけて接触抵抗を低減するようになされたものも提案されている（例えば、特許文献３参照）。
【特許文献１】特許第２９７８７６７号公報
【特許文献２】特開平１０−９０７７０号公報
【特許文献３】特開２００４−１７９１２０号公報
【発明の開示】
【発明が解決しようとする課題】
【０００６】
しかし、特許文献１の方法では、従来のネジ止め方式と同様に、電池交換時に電池蓋を紛失するおそれがあり、また、別の係止部品が必要なために部品点数が増え、小型化および低コスト化に対して不利となる。
【０００７】
また、特許文献２の方法でも、別設の掛止部品が必要なため、部品点数が増え、小型化および低コスト化に対して不利となる。
【０００８】
さらに、特許文献３の方法では、ロック機構をスライドさせる際に、電池接片を電池に押しつけながらスライドさせる必要があるため、電池蓋を抑えながらロック機構をスライドさせなければならず、操作が悪く、使い勝手が悪い。
【０００９】
本発明は、上記事情に鑑みてなされたもので、新たな部品を追加することなく、一つの部品から構成され、電池蓋が機器本体に支持部材を介して取り付けられているため紛失のおそれがなく、電池蓋の開閉動作の操作性がよく、電池の電極部の接触抵抗も低減でき、かつ耐衝撃性能に優れた電池収納構造および同構造を備えた携帯電子機器を提供することを目的とする。
【課題を解決するための手段】
【００１０】
本発明の目的は、下記構成により達成することができる。
【００１１】
（請求項１）
電池を収納する電池室と、該電池室の開口部を閉塞する電池蓋とを有する電池収納構造において、
前記電池室に収納された電池を前記電池蓋方向に付勢する付勢手段と、
前記電池蓋を、前記付勢手段の付勢方向と略平行な軸を中心として回動可能に支持する支持部材と、
前記電池蓋に設けられ、前記電池室に収納された電池の電極と接触する電池接片と、
前記電池接片の、前記電池蓋を、前記電池室を開放する位置から閉塞する位置に回動させるときに、最初に電池の電極に接触する側に設けられた傾斜部とを有し、
前記電池接片は、前記電池室に収納された電池を前記付勢手段の方向に付勢しながら回動することを特徴とする電池収納構造。
【００１２】
（請求項２）
前記電池蓋の回動方向を規制するガイド板と、
前記電池蓋に設けられた、前記電池蓋の回転方向の面に平行な回転ガイド溝とを有し、
前記電池蓋を、前記電池室を開放する位置から閉塞する位置に回動させることで、前記ガイド板が前記回転ガイド溝と係合し、その後に前記電池接片の傾斜部が前記電池の電極に接触することを特徴とする請求項１に記載の電池収納構造。
【００１３】
（請求項３）
前記ガイド板は、前記電池蓋を、前記電池室を閉塞する位置に固定するロック部材として機能し、
前記電池蓋を、前記電池室を開放する位置から閉塞する位置に回動させるときに、前記電池接片の一部が前記ガイド板と弾性的に接触することにより、前記ガイド板を介して電気回路と電気的に接続されることを特徴とする請求項２に記載の電池収納構造。
【００１４】
（請求項４）
前記電池蓋の回動方向を規制するとともに、前記電池蓋を、前記電池室を閉塞する位置に固定するロック部材として機能するガイド板を有し、
前記電池蓋を、前記電池室を開放する位置から閉塞する位置に回動させるときに、前記電池接片の一部が前記ガイド板と弾性的に接触することにより、前記ガイド板を介して電気回路と電気的に接続されることを特徴とする請求項１に記載の電池収納構造。
【００１５】
（請求項５）
前記電池室は電池を複数本収納可能であり、
前記複数本の電池は、前記支持部材を中心とした略円弧上に配置されることを特徴とする請求項１乃至４の何れか１項に記載の電池収納構造。
【００１６】
（請求項６）
請求項１乃至５の何れか１項に記載の電池収納構造を備えたことを特徴とする携帯電子機器。
【発明の効果】
【００１７】
請求項１に記載の発明によれば、電池蓋をガイド板に沿って回動させながら電池接片の傾斜部で電池を付勢方向に押し込みつつ電池蓋を閉じるため、開閉動作の操作性がよく、電池蓋を紛失することもなく、電池の電極部の接触抵抗も低減できる電池蓋を備えた電池収納構造を提供することができる。
【００１８】
請求項２に記載の発明によれば、電池蓋の閉じ動作の初期段階でガイド板が電池蓋の回転ガイド溝と係合し、その後に電池接片が電池の電極と接触して電池を付勢方向に押し込むため、電池蓋を回動させるだけで電池を付勢方向に押し込みながら電池蓋を閉じることができ、開閉動作がスムースで操作性がよく、かつ電池の電極部の接触抵抗も低減できる電池蓋を備えた電池収納構造を提供することができる。
【００１９】
請求項３および４に記載の発明によれば、ガイド板を電池蓋のロック部材と通電部材として兼用することで、新たな部品を追加することなく、開閉動作の操作性がよく、耐衝撃性能に優れ、かつ電池接片とガイド板の接触抵抗も低減できる電池蓋を備えた電池収納構造を提供することができる。
【００２０】
請求項５に記載の発明によれば、電池室に複数本の電池を収納する場合に、電池を電池蓋の支持部材を中心とした略円弧上に配置することで、電池蓋の閉動作時に電池接片の傾斜部で電池を１本ずつ付勢方向に押し込むことができるので、押す力が少なくてすむため、操作性がよい電池蓋を備えた電池収納構造を提供することができる。
【００２１】
請求項６に記載の発明によれば、請求項１乃至５の何れか１項に記載の電池収納構造を備えることにより、電池交換の操作性がよく、耐衝撃性能に優れ、電池蓋を紛失することもない携帯電子機器を提供することができる。
【発明を実施するための最良の形態】
【００２２】
以下、図面に基づき本発明の実施の形態を説明する。
【００２３】
図１は、本発明に係る携帯電子機器として機能するパルスオキシメータ（酸素飽和度モニタ）１の外観斜視図である。
【００２４】
パルスオキシメータ１の上面には、測定開始のためのスタートボタン１１と測定結果を表示する表示部１２が設けられている。
【００２５】
パルスオキシメータ１の側面奥には、図示しない測定用のプローブを接続するコネクタ１３が設けられている。コネクタ１３にフィンガークリッププローブ等のプローブを接続することで、動脈血酸素飽和度や脈拍数の測定を行うことができる。
【００２６】
一方、パルスオキシメータ１の側面手前には電池２０１を収納するための電池室２０２の前に電池蓋１０１が設けられている。電池蓋１０１は、支持部材１０２の周りに回動可能に取り付けられている。電池室２０２の側面には、電池蓋１０１の開閉をガイドし、電池蓋１０１を閉じ位置にロックするためのガイド板２０４が設けられている。
【００２７】
次に、本発明の第１の実施の形態に係る電池収納構造について、図２乃至図５を用いて説明する。図２は、本発明の第１の実施の形態における電池室２０２および電池蓋１０１の構成を示す模式図で、図１のＸ−Ｘ’軸およびＹ−Ｙ’軸を含む平面での断面を上面側から見た図である。図中、図１と同じ部分には同じ番号を付与した。
【００２８】
図３乃至図５は、本発明の第１の実施の形態における電池蓋１０１、電池接片１０３、ガイド板２０４と電池２０１の関係を示すための、図２のＡ方向から見た模式図であり、図３は、電池蓋１０１がガイド板２０４と係合しはじめた状態、図４は電池接片１０３が電池２０１の陽極２０１ａに接触しはじめた状態、図５は電池蓋１０１が閉じられた状態を示す。図中、図１、２と同じ部分には同じ番号を付与した。なお、説明を分かりやすくするために、関連する部分のみを図示し、その他は省略した。
【００２９】
図２に示すように、本発明に係る携帯電子機器として機能するパルスオキシメータ１の筐体内に電池室２０２が設けられ、電池２０１が挿入される。
【００３０】
電池室２０２の奥部２０２ｂには、金属からなり導電性と弾性を持つ付勢部材２０３が設けられ、電池２０１の陰極２０１ｂと弾性的に接触し、以て電気的に接続されるとともに、電池２０１を開口部２０２ａ側に付勢している。また、付勢部材２０３の端部２０３ａは、パルスオキシメータ１の電気回路２０５にハンダ付け等で電気的に接続されている。これによって、電池２０１の陰極２０１ｂは、付勢部材２０３を介して電気回路２０５と接続され、電気回路２０５のマイナス側電源として機能する。
【００３１】
一方、電池室２０２の開口部２０２ａ側には、プラスチック等からなる電池蓋１０１が支持部材１０２によって開口部２０２ａを閉塞するあるいは開放する方向に回転軸１０２ａの周りに回動可能に取り付けられている。電池蓋１０１は、図の奥から手前方向に回動することで、開口部２０２ａを閉塞する。
【００３２】
電池蓋１０１には、金属からなり導電性と弾性を持つ電池接片１０３が設けられ、電池２０１の陽極２０１ａと弾性的に接触し、以て電気的に接続される。電池接片１０３には、電池蓋１０１の閉じ動作時に最初に電池２０１の陽極２０１ａに接触する部分に傾斜部１０３ａが設けられている。
【００３３】
電池蓋１０１には、回転ガイド溝１０４が設けられ、電池蓋１０１が開口部２０２ａを閉塞する側に回動することで、パルスオキシメータ１の筐体内に設けられた金属からなるガイド板２０４の端面２０４ｃが回転ガイド溝１０４と係合し、付勢部材２０３の付勢力や落下等による外力によって電池蓋１０１が電池２０１の付勢方向に受ける力を、ガイド板２０４で受け止めることができるように構成されている。また、電池蓋１０１の回動に従って、電池接片１０３の端部１０３ｃとガイド板２０４の端面２０４ｃが弾性的に接触し、以て電気的に接続されるように構成されている。
【００３４】
ガイド板２０４の端部２０４ａは、パルスオキシメータ１の電気回路２０５にハンダ付け等で電気的に接続されている。これによって、電池２０１の陽極２０１ａは、電池接片１０３とガイド板２０４を介して電気回路２０５と接続され、電気回路２０５のプラス側電源として機能する。
【００３５】
次に、電池蓋１０１の開状態から閉状態への遷移を順を追って説明する。
【００３６】
まず、図３に従って説明する。電池２０１が陽極２０１ａを手前にして電池室２０２に挿入され、電池蓋１０１を回転軸１０２ａの周りに回動させて（図中の矢印方向）閉じはじめると、電池蓋１０１に設けられた回転ガイド溝１０４にガイド板２０４が係合する。この時点では、電池接片１０３は、電池２０１の陽極２０１ａとは接触していない。
【００３７】
次に、図４に従って説明する。図３の状態から電池蓋１０１をさらに閉じ方向に回動させる（図中の矢印方向）と、電池接片１０３の傾斜部１０３ａが電池２０１の陽極２０１ａに接触しはじめる。電池接片１０３の傾斜部１０３ａは、電池蓋１０１の回動方向の面に対して傾斜角を有しているため、陽極２０１ａへの接触後は、電池蓋１０１の回転軸１０２ａの周りの閉じ方向の回動に伴って、陽極２０１ａの上に乗り上げるような形で電池２０１の開口部２０２ａ方向の付勢力に抗して陽極２０１ａを電池室２０２側に（図の手前側から奥に向かって）押し込んでいく。
【００３８】
また、電池蓋１０１の回動に従って、電池接片１０３の端部１０３ｃがガイド板２０４の端面２０４ｃに弾性的に接触し、電池蓋１０１の回動とともに、端部１０３ｃが端面２０４ｃと摺動する。
【００３９】
図４の状態から電池蓋１０１をさらに閉じ方向に回動させて（図中の矢印方向）、電池蓋１０１が完全に閉じられると、図５に示すように、電池接片１０３の平坦部１０３ｂが電池２０１の陽極２０１ａに弾性的に接触する。これによって、平坦部１０３ｂと陽極２０１ａは付勢方向に圧力がかかった状態で接触することとなり、接触抵抗を低減して電気的に安定な接続状態を保つことができる。付勢部材２０３と電池２０１の陰極２０１ｂについても同様に、接触抵抗を低減して電気的に安定な接続状態を保つことができる。
【００４０】
一方、ガイド板２０４には切り欠き部２０４ｂが設けられ、電池接片１０３の端部１０３ｃが、電池蓋１０１の回動に従って切り欠き部２０４ｂに係合することで回動方向の係止となるように構成されており、電池接片１０３とガイド板２０４が電池蓋１０１のロック部材を兼ねて、電池蓋１０１を閉状態にロックすることができる。
【００４１】
さらに、電池蓋１０１の閉じ動作に従って、電池接片１０３の傾斜部１０３ａおよび平坦部１０３ｂが電池２０１の陽極２０１ａと接触、摺動され、電池接片１０３の端部１０３ｃがガイド板２０４の端面２０４ｃと接触、摺動される。この摺動によって、電池接片１０３の傾斜部１０３ａ、平坦部１０３ｂおよび端部１０３ｃの表面の酸化膜が除去される、いわゆるセルフクリーニングがなされ、接触抵抗の低減、ひいては電池寿命を延長することができる。本発明では、電池蓋の開閉動作が回転軸１０２ａを中心とする回動によって行われるため、上記接触、摺動の距離が長くとれるので、セルフクリーニングの効果も高くなる。
【００４２】
次に、本発明の第２の実施の形態に係る電池収納構造について、図６乃至図９を用いて説明する。図６は本発明の第２の実施の形態における、複数の電池を用いる場合の電池室および電池蓋の構成を示す模式図である。図中、図１、２と同じ部分には同じ番号を付与した。
【００４３】
図７乃至図９は、電池蓋１０１、電池接片１０３、ガイド板２０４と２本の電池２０１および２１１の関係を示すための、図６のＡ方向から見た模式図であり、図７は、電池接片１０３が電池２０１の陽極２０１ａに接触しはじめた状態、図８は電池接片１０３が電池２１１の陰極２１１ｂに接触しはじめた状態、図９は電池蓋１０１が閉じられた状態を示す。図中、図１乃至５と同じ部分には同じ番号を付与した。なお、説明を分かりやすくするために、関連する部分のみを図示し、その他は省略した。
【００４４】
図６に示すように、本発明に係る携帯電子機器として機能するパルスオキシメータ１の筐体内に電池室２０２が設けられ、電池２０１および２１１が挿入される。電池２０１および２１１は、電池蓋１０１の回転軸１０２ａを中心とする略円弧２１２上にその中心が来るように配置される。
【００４５】
本例では２本の電池を使用する場合を示したが、３本以上の電池を用いる場合も同様に、電池蓋１０１の回転軸１０２ａを中心とする略円周２１２上にその中心が来るように配置することで、電池蓋１０１の回動に従って、電池接片１０３の傾斜部１０３ａが、常に電池を１本ずつ押し込むことになるので、電池接片１０３および電池蓋１０１にかかる負荷が軽く、且つ安定する。
【００４６】
電池室２０２の奥部２０２ｂには、金属からなり導電性と弾性を持つ付勢部材２０３および２１３が設けられ、付勢部材２０３は電池２０１の陰極２０１ｂと弾性的に接触し、以て電気的に接続されるとともに、電池２０１を開口部２０２ａ側に付勢し、付勢部材２１３は電池２１１の陽極２１１ａと弾性的に接触し、以て電気的に接続されるとともに、電池２１１を開口部２０２ａ側に付勢している。
【００４７】
また、付勢部材２０３の端部２０３ａは、パルスオキシメータ１の電気回路２０５にハンダ付け等で電気的に接続されている。これによって、電池２０１の陰極２０１ｂは、付勢部材２０３を介して電気回路２０５と接続され、電気回路２０５のマイナス側電源として機能する。一方、付勢部材２１３の端部２１３ａは、パルスオキシメータ１の電気回路２０５にハンダ付け等で電気的に接続されている。これによって、電池２１１の陽極２０１ａは、付勢部材２１３を介して電気回路２０５と接続され、電気回路２０５のプラス側電源として機能する。
【００４８】
一方、電池室２０２の開口部２０２ａ側には、プラスチック等からなる電池蓋１０１が支持部材１０２によって開口部２０２ａを閉塞するあるいは開放する方向に回転軸１０２ａの周りに回動可能に取り付けられている。電池蓋１０１は、図の奥から手前方向に回動することで、開口部２０２ａを閉塞する。
【００４９】
電池蓋１０１には、金属からなり導電性と弾性を持つ電池接片１０３が設けられ、電池２０１の陽極２０１ａおよび電池２１１の陰極２１１ｂと弾性的に接触し、電池２０１の陽極２０１ａと電池２１１の陰極２１１ｂを電気的に接続する。電池接片１０３には、電池蓋１０１の閉じ動作時に最初に電池２０１の陽極２０１ａに接触する部分に傾斜部１０３ａが設けられ、電池接片１０３の傾斜部１０３ａと平坦部１０３ｂの間には、電池２１１の陰極２１１ｂとの接触のために凸部１０３ｄが設けられている。
【００５０】
電池蓋１０１には、回転ガイド溝１０４が設けられ、電池蓋１０１が開口部２０２ａを閉塞する側に回動することで、パルスオキシメータ１の筐体内に設けられた金属あるいはプラスチック等からなるガイド板２０４の端面２０４ｃが回転ガイド溝１０４と係合し、付勢部材２０３の付勢力や落下等による外力によって電池蓋１０１が電池２０１および２１１の付勢方向に受ける力を、ガイド板２０４で受け止めることができるように構成されている。
【００５１】
次に、電池蓋１０１の開状態から閉状態への遷移を順を追って説明する。
【００５２】
まず、図７に従って説明する。電池２０１が陽極２０１ａを手前に、電池２１１が陰極２１１ｂを手前に電池室２０２に挿入され、電池蓋１０１を回転軸１０２ａの周りに回動させて（図中の矢印方向）閉じはじめると、最初に電池蓋１０１に設けられた回転ガイド溝１０４にガイド板２０４が係合する。
【００５３】
次に、電池蓋１０１をさらに閉じ方向に回動させる（図中の矢印方向）と、電池接片１０３の傾斜部１０３ａが電池２０１の陽極２０１ａに接触しはじめる。電池接片１０３の傾斜部１０３ａは、電池蓋１０１の回動方向の面に対して傾斜角を有しているため、陽極２０１ａへの接触後は、電池蓋１０１の回転軸１０２ａの周りの閉じ方向の回動に伴って、陽極２０１ａの上に乗り上げるような形で電池２０１の開口部２０２ａ方向の付勢力に抗して陽極２０１ａを電池室２０２側に（図の手前側から奥に向かって）押し込んでいく。
【００５４】
さらに電池蓋１０１を閉じ方向に回動させる（図中の矢印方向）と、図８に示すように、電池接片１０３の傾斜部１０３ａおよび凸部１０３ｄが電池２０１の陽極２０１ａ上を通り過ぎ、平坦部１０３ｂと陽極２０１ａが接触する。その後に、傾斜部１０３ａが電池２１１の陰極２１１ｂと接触しはじめる。傾斜部１０３ａは、電池蓋１０１の回動方向の面に対して傾斜角を有しているため、接触後は電池蓋１０１の回転軸１０２ａの周りの閉じ方向の回動に伴って、電池２１１の開口部２０２ａ方向の付勢力に抗して陰極２１１ｂを電池室２０２側に（図の手前側から奥に向かって）押し込んでいく。
【００５５】
図８の状態から電池蓋１０１をさらに閉じ方向に回動させて（図中の矢印方向）、電池蓋１０１が完全に閉じられると、図９に示すように、電池接片１０３の平坦部１０３ｂが電池２０１の陽極２０１ａに弾性的に接触する。これによって、平坦部１０３ｂと陽極２０１ａは付勢方向に圧力がかかった状態で接触することとなり、接触抵抗を低減して電気的に安定な接続状態を保つことができる。付勢部材２０３と電池２０１の陰極２０１ｂについても同様に、接触抵抗を低減して電気的に安定な接続状態を保つことができる。
【００５６】
一方、ガイド板２０４には突起部２０４ｄが設けられ、電池蓋１０１の回転ガイド溝１０４内に設けられた凹部１０１ａに係合することで回動方向の係止となるように構成されており、電池蓋１０１自体とガイド板２０４が電池蓋１０１のロック部材を兼ねて、電池蓋１０１を閉状態にロックすることができる。
【００５７】
以上に述べたように、本発明によれば、電池蓋が機器本体に支持部材を介して取り付けられているため紛失のおそれがなく、電池蓋を回転させるだけで簡単に開閉動作ができて操作性がよく、ガイド板と配線部材を兼用することで部品点数も削減でき、電池の電極部の接触抵抗も低減でき、かつ耐衝撃性能に優れた電池収納構造および同構造を備えた携帯電子機器を提供することができる。
【００５８】
尚、本発明に係る撮像装置を構成する各構成の細部構成および細部動作に関しては、本発明の趣旨を逸脱することのない範囲で適宜変更可能である。
【図面の簡単な説明】
【００５９】
【図１】本発明に係る携帯電子機器として機能するパルスオキシメータの外観斜視図である。
【図２】本発明の第１の実施の形態における電池室および電池蓋の構成を示す模式図である。
【図３】本発明の第１の実施の形態における電池蓋、電池接片、ガイド板と電池の関係を示すための、図２のＡ方向から見た模式図で、電池蓋１０１がガイド板２０４と係合しはじめた状態を示す。
【図４】本発明の第１の実施の形態における電池蓋、電池接片、ガイド板と電池の関係を示すための、図２のＡ方向から見た模式図で、電池接片１０３が電池２０１の陽極２０１ａに接触しはじめた状態を示す。
【図５】本発明の第１の実施の形態における電池蓋、電池接片、ガイド板と電池の関係を示すための、図２のＡ方向から見た模式図で、電池蓋１０１が閉じられた状態を示す。
【図６】本発明の第２の実施の形態における、複数の電池を用いる場合の電池室および電池蓋の構成を示す模式図である。
【図７】本発明の第２の実施の形態における電池蓋、電池接片、ガイド板と２本の電池の関係を示すための、図６のＡ方向から見た模式図であり、電池接片１０３が電池２０１の陽極２０１ａに接触しはじめた状態を示す。
【図８】本発明の第２の実施の形態における電池蓋、電池接片、ガイド板と２本の電池の関係を示すための、図６のＡ方向から見た模式図であり、電池接片１０３が電池２１１の陰極２１１ｂに接触しはじめた状態を示す。
【図９】本発明の第２の実施の形態における電池蓋、電池接片、ガイド板と２本の電池の関係を示すための、図６のＡ方向から見た模式図であり、電池蓋１０１が閉じられた状態を示す。
【符号の説明】
【００６０】
１  パルスオキシメータ
１１  スタートボタン
１２  表示部
１３  コネクタ
１０１  電池蓋
１０２  支持部材
１０３  電池接片
１０４  回転ガイド溝
２０１  電池
２０２  電池室
２０３  付勢手段
２０４  ガイド板
２０５  電気回路
２１１  電池
２１２  円弧
【図１】
2006260970.tif 000003
【図２】
2006260970.tif 000004
【図３】
2006260970.tif 000005
【図４】
2006260970.tif 000006
【図５】
2006260970.tif 000007
【図６】
2006260970.tif 000008
【図７】
2006260970.tif 000009
【図８】
2006260970.tif 000010
【図９】
2006260970.tif 000011